(57)【要約】【課題】立ったままでも着脱し易く、オムツを使用しても動き易く、着心地の良い介護服を提供する。【解決手段】ズボンを前身頃１の中心線の上端から鉛直に股部、内股、及び裾へ渡って裁断し、前身頃１上端の裁断箇所に開口形成された紐通し部５の通し口６、6aからウエスト寸法に合わせて結ぶ胴回り調整紐７、7aの各端部を突出し、ズボンの後身頃２の股間部に、前方へ折り返されることで前あて３と成る様に、頂点が下方突出した山型状の布片を連続形成し、左右一対のオープンファスナー９、10の一方のエレメント保持テープ9a、10ａを前身頃１の前記裁断線に沿って縫着し、他方のエレメント保持テープ9b、10ｂを後身頃２の裾から内股、前あて３の斜辺に沿って縫着すると共に、前あて３の頂点の延長線上で並列に縫着した。【選択図】図１
2010106371.tif 000002
【特許請求の範囲】
【請求項１】
ズボンを前身頃の中心線の上端から鉛直に股部、内股、及び裾へ渡って裁断し、前身頃上端の裁断箇所に開口形成された紐通し部の通し口からウエスト寸法に合わせて結ぶ胴回り調整紐の各端部を突出し、ズボンの後身頃の股間部に、前方へ折り返されることで前あてと成る様に、頂点が下方突出した山型状の布片を連続形成し、左右一対のオープンファスナーの一方のエレメント保持テープを前身頃の前記裁断線に沿って縫着し、他方のエレメント保持テープを後身頃の裾から内股、前あての斜辺に沿って縫着すると共に、前あての頂点の延長線上で並列に縫着したことを特徴とする介護服。
【請求項２】
紐通し部にはその一方の通し口から他方の通し口に渡り、ズボンの上端周囲長より若干短い弾性帯を挿通し、該弾性帯の各端部を各通し口にこれを塞ぐことなく止着すると共に、紐通し部の腰部対応部位に皺を寄せることなく、且つ通し口から紐通し部の脇部対応部位に渡って皺寄せして前記脇部対応部位と弾性帯を縫い付け、該弾性帯において各通し口から脇部対応部位までの間の適所には先端部が各通し口から突出する胴回り調整紐の各基端部を縫着したことを特徴とする請求項１記載の介護服。
【請求項３】
繋ぎ服をその前身頃の中心線上にある襟ぐり下部から鉛直に股部、内股、及び裾へ渡って裁断し、後身頃の股間部に、前方へ折り返されることで前あてと成る様に、頂点が下方突出した山型状の布片を連続形成し、左右一対のオープンファスナーの一方のエレメント保持テープを前身頃の前記裁断線に沿って縫着し、他方のエレメント保持テープを後身頃の裾から内股、前あての斜辺に沿って縫着すると共に、前あての頂点の延長線上で並列に縫着したことを特徴とする介護服。
【請求項４】
後身頃において前あての頂部から内股上方に渡る部位と他方のエレメント保持テープとの間には、大腿部から臀部辺りにゆとりを持たせるための所定形状の襠を形成したことを特徴とする請求項１、２又は３記載の介護服。
【発明の詳細な説明】
【技術分野】
【０００１】
本発明は、高齢者・病人など主に介護が必要な被介護者を対象にした介護服に関する。
【背景技術】
【０００２】
従来、この種の介護服は、多種多様なのものが見受けられる。
例えば、特許文献１には、前開き上衣の左右袖下から左右脇へ着脱の為の連続で開閉自在な２枚の重なり部分を設け、ズボンのウエスト部開口周縁には、その前側中央部から左右均等二個所に設置された夫々直線で略平行な２本の着脱の為の開閉自在な２枚の重なり部分を連続で裾まで設けると共に、そのウエスト開口周縁において前側二箇所の重なり部分の間以外の個所にウエスト締めの為の紐状ゴムが設けられギャザーが形成されている介護服が開示されている。
上記介護服にあっては、上衣の前開き部のボタンと、両脇の重なり部分を開放して展開状態と成し、ズボンの前側左右の重なり部分を開放して展開状態と成し、かかる展開状態の上衣とズボンの上に被介護者を仰臥状態で寝かせ、前開き部及び重なり部分を閉じることで着衣させていた。
【０００３】
【特許文献１】登録実用新案第３１３００７１号
【発明の開示】
【発明が解決しようとする課題】
【０００４】
上記介護服は、主に寝たきりの人を対象にしているので、立ったままでも着替えられる介護度の低い人などには不都合な点が見受けられる。
特に、ズボンでは、左右の重なり部分を閉じて通常のズボン形態にしなければ着用することができず、腰が容易に曲がらない人にとっては不便であった。
又、上記介護服は、通常の上衣とズボンを展開可能に形成してその着脱を容易にしただけのため、例えば被介護者がオムツを使用する場合には、ゆとりがなく履き心地が悪いだけでなく、ウエスト締め用の紐状ゴムが設けられたズボンの腰から両脇へ掛けてギャザーが形成されているので、仰臥ではその皺が腰に触れて寝心地が悪く、床擦れの原因となるなどの課題を有している。
そこで、本発明では、立ったままでも着脱し易く、オムツを使用しても動き易く、寝心地や着心地の良い介護服を提供することを目的としている。
【課題を解決するための手段】
【０００５】
上記課題に鑑み、本発明の介護服は、ズボンを前身頃の中心線の上端から鉛直に股部、内股、及び裾へ渡って裁断し、前身頃上端の裁断箇所に開口形成された紐通し部の通し口からウエスト寸法に合わせて結ぶ胴回り調整紐の各端部を突出し、ズボンの後身頃の股間部に、前方へ折り返されることで前あてと成る様に、頂点が下方突出した山型状の布片を連続形成し、左右一対のオープンファスナーの一方のエレメント保持テープを前身頃の前記裁断線に沿って縫着し、他方のエレメント保持テープを後身頃の裾から内股、前あての斜辺に沿って縫着すると共に、前あての頂点の延長線上で並列に縫着したことを特徴とする。
そして、この介護服において、紐通し部にはその一方の通し口から他方の通し口に渡り、ズボンの上端周囲長より若干短い弾性帯を挿通し、該弾性帯の各端部を各通し口にこれを塞ぐことなく止着すると共に、紐通し部の腰部対応部位に皺を寄せることなく、且つ通し口から紐通し部の脇部対応部位に渡って皺寄せして前記脇部対応部位と弾性帯を縫い付け、該弾性帯において各通し口から脇部対応部位までの間の適所には先端部が各通し口から突出する胴回り調整紐の各基端部を縫着したことを特徴とする。
又、本発明の介護服は、繋ぎ服をその前身頃の中心線上にある襟ぐり下部から鉛直に股部、内股、及び裾へ渡って裁断し、後身頃の股間部に、前方へ折り返されることで前あてと成る様に、頂点が下方突出した山型状の布片を連続形成し、左右一対のオープンファスナーの一方のエレメント保持テープを前身頃の前記裁断線に沿って縫着し、他方のエレメント保持テープを後身頃の裾から内股、前あての斜辺に沿って縫着すると共に、前あての頂点の延長線上で並列に縫着したことを特徴とする。
更に、上記介護服にあっては、後身頃において前あての頂部から内股上方に渡る部位と他方のエレメント保持テープとの間には、股まわりにゆとりを持たせるための所定形状の襠を形成したことを特徴とする。
【発明の効果】
【０００６】
要するに本発明は、ズボンを前身頃の中心線の上端から鉛直に股部、内股、及び裾へ渡って裁断し、ズボンの後身頃の股間部に、前方へ折り返されることで前あてと成る様に、頂点が下方突出した山型状の布片を連続形成し、左右一対のオープンファスナーの一方のエレメント保持テープを前身頃の前記裁断線に沿って縫着し、他方のエレメント保持テープを後身頃の裾から内股、前あての斜辺に沿って縫着すると共に、前あての頂点の延長線上で並列に縫着したので、各オープンファスナーの開閉によりズボンを展開状態又はズボンとしての立体形態に簡単容易に変形でき、ズボンのウエスト開口部から身体を挿脱する通常着用をすることなく、被介護者にズボンを着脱させることができる。
又、前あてが股間部に形成されることで股間部辺りに大きくゆとりをとることができ、オムツを使用しても動き易く、しかも前あては後身頃の股間部に縫い付けずとも連続形成が可能なため、身体股間に縫い目が触れることもなく、座り心地や着心地を良好と成すことができる。
そして、前身頃上端の裁断箇所に開口形成された紐通し部の通し口からウエスト寸法に合わせて結ぶ胴回り調整紐の各端部を突出したので、左右の通し口を身体中央に引き寄せる様に臍の辺りで胴回り調整紐の各端部を結ぶことでオープンファスナーを開放した展開状態のズボンの身頃上端を胴回りに纏わせられ、立ったままでのオムツ交換やオープンファスナーの閉鎖によるズボンの着用（ズボンへの変形）が容易に成し得る。
しかも、左右の通し口を身体中央に引き寄せれば、胴回り調整紐の結び目は必ず上記の様に身体中央の臍辺りとなり、かかる状態でオープンファスナーを閉じれば、ウエスト部が捻じれることなくズボンに容易にして整然と変形させられる。
【０００７】
上記介護服において、紐通し部にはその一方の通し口から他方の通し口に渡り、ズボンの上端周囲長より若干短い弾性帯を挿通し、該弾性帯の各端部を各通し口にこれを塞ぐことなく止着すると共に、紐通し部の腰部対応部位に皺を寄せることなく、且つ通し口から紐通し部の脇部対応部位に渡って皺寄せして前記脇部対応部位と弾性帯を縫い付け、該弾性帯において各通し口から脇部対応部位までの間の適所には先端部が各通し口から突出する胴回り調整紐の各基端部を縫着したので、オープンファスナーを開放したズボンの展開状態で紐通し部の腰部対応部位を腰に当て胴回り調整紐を引っ張って身体中央の臍辺りで結べば、紐通し部内の弾性帯全体がウエスト寸法に合わせて伸び、胴回りに無理なくフィットさせられ、この後にオープンファスナーを閉じれば着心地良くズボンを着用できる。
しかも、この着用状態で仰臥しても紐通し部の腰部対応部位には皺が形成されていないから、痛みがなく、床擦れの要因がなく、寝心地や着心地も良い。
【０００８】
又、本発明の介護服は、繋ぎ服をその前身頃の中心線上にある襟ぐり下部から鉛直に股部、内股、及び裾へ渡って裁断し、後身頃の股間部に、前方へ折り返されることで前あてと成る様に、頂点が下方突出した山型状の布片を連続形成し、左右一対のオープンファスナーの一方のエレメント保持テープを前身頃の前記裁断線に沿って縫着し、他方のエレメント保持テープを後身頃の裾から内股、前あての斜辺に沿って縫着すると共に、前あての頂点の延長線上で並列に縫着したので、各オープンファスナーの開閉により繋ぎ服の脚部を展開状態又は繋ぎ服の脚部としての立体形態に簡単容易に変形できると共に、繋ぎ服の上衣の前開き部を開閉できる。
よって、上記脚部を展開させた前開き状態と成す様にオープンファスナーを開放し、繋ぎ服を浴衣の様に身に纏い、オープンファスナーを閉鎖すれば、簡単容易に着衣でき、この逆の手順で簡単容易に脱衣できる。
又、前あてが股間部に形成されることで股間部辺りに大きくゆとりをとることができ、オムツを使用しても動き易く、しかも前あては後身頃の股間部に縫い付けずとも連続形成が可能なため、身体股間に縫い目が触れることもなく、座り心地や着心地を良好と成すことができる。
【０００９】
更に、上記介護服にあっては、後身頃において前あての頂部から内股上方に渡る部位と他方のエレメント保持テープとの間には、大腿部から臀部辺りにゆとりを持たせるための所定形状の襠を形成したので、大腿部から臀部辺りにより一層のゆとりを持たせることができ、オムツを使用しても余裕を持って歩くことができる等その実用的効果甚だ大である。
【発明を実施するための最良の形態】
【００１０】
以下本発明の実施の一形態例を図面に基づいて説明する。
本発明に係る介護服は、図１に示す様に、下半身に着用するズボンであり、ニットや綿など肌触りの良い布地にて形成されている。
この介護服は、ズボンを前身頃１の中心線の上端から鉛直に股部、内股、及び裾へ渡って裁断し、ズボンの後身頃２の股間部に、前方へ折り返されることで前あて３と成る様に、頂点が下方突出した頂部が鋭角な山型状（鋭角二等辺三角形、或いは図示例の様な鋭角な頂角を有する左右対称な五角形）の布片を連続形成した形態を、ズボンの縫成前の展開状態の原型としており（図３参照）、かかる原型は一枚生地で形成可能である。
尚、図３において、前身頃１と後身頃２の境界を二点鎖線で示す。
【００１１】
後身頃２において、前あて３の頂部から内股上方に渡る部位には大腿部から臀部辺りにゆとりを持たせるための所定形状（図示例では前あて３の斜辺と同長の２辺を有する頂角が鈍角な二等辺三角形）の襠４、4aを縫着している（図２、３参照）。
【００１２】
又、上記原型の上端縁を外側へ折り返して縫着することにより紐通し部５を形成しており、前身頃１において、前開き部1aの上端（前身頃１上端の上記裁断箇所に相当）に紐通し部５の通し口６、6aが開口形成され、該通し口６、6aからウエスト寸法に合わせて結ぶ胴回り調整紐７、7aの各端部を突出している。
【００１３】
紐通し部５には、その一方の通し口６から他方の通し口6aに渡り、ズボン（身頃１、２）の上端周囲長（胴回り）より若干短いゴム紐等の弾性帯８を挿通し、該弾性帯８の各端部を各通し口６、6aにこれを塞ぐことなく止着（通し口６、6aを構成する片側の生地に縫い付け）すると共に、紐通し部５の腰部対応部位5aに皺を寄せることなく、且つ通し口６、6aから紐通し部５の脇部対応部位5b、5cに渡って皺寄せして脇部対応部位5b、5cと弾性帯８を縫い付けている。
そして、弾性帯８において、各通し口６、6aから脇部対応部位5b、5cまでの間の適所には、先端部が各通し口６、6aから突出する胴回り調整紐７、7aの各基端部を縫着している。
尚、説明の便宜上、図３に示す紐通し部５の通し口６、6aから脇部対応部位5b、5cまでの間に表すべき皺は省略している。
【００１４】
上記の様に構成された図３に示す展開状態のズボンは、左右一対のオープンファスナー９、10を取付け、該オープンファスナー９、10を閉鎖することにより、ズボンとしての立体形態に変形可能と成している。
即ち、オープンファスナー９、10の一方のエレメント保持テープ9a、10ａを前身頃１の上記裁断線（ズボン展開状態の左右側縁）に沿って縫着し、他方のエレメント保持テープ9b、10ｂを後身頃２の裾から内股、襠４、4aの最長斜辺に沿って縫着すると共に、前あて３の頂点の延長線上でエレメント保持テープ9b、10ｂを上下に重ね合わせて各エレメントを並列と成す様に縫着している。
【００１５】
そして、エレメント保持テープ9b、10ｂに上下動自在に装着したスライダ11をその下端に有する箱12、12ａ上に当接し、エレメント保持テープ9a、10ａ下端に有する蝶棒13、13ａをスライダ11及び箱12、12ａ夫々の側方溝（図示せず）に挿入して各エレメント保持テープ9a、9b、10ａ、10ｂの下端を接合し、スライダ11、11ａの引手を持ってこれを上下させることにより、オープンファスナー９、10を開閉させる。
オープンファスナー９、10の閉鎖は、その下端を上記の様に接合した状態でスライダ11、11ａを上端へ移動させることで達成し、これにより図１、２の様に下半身に着用可能な立体形態のズボンに変形させられる。
又、オープンファスナー９、10の開放は、その下端の箱12、12ａ上にスライダ11、11ａを移動させ、該スライダ11、11ａと箱12、12ａ夫々の側方溝から蝶棒13、13ａを抜き出すことで達成し、これによりズボンを図３の様に展開状態と成すことができる。
【００１６】
次に、介護服の他例を図５〜７に基づき説明する。
この介護服は、上記構成のズボンに上衣を連続形成したものであり、上記と同一又は相当部分には同一の符号を図中に付し、詳細な説明は省略する。
即ち、この介護服は、図５、６に示す様に、繋ぎ服をその前身頃１の中心線上にある襟ぐり14下部から鉛直に股部、内股、及び裾へ渡って裁断し、後身頃２の股間部に、前方へ折り返されることで前あて３と成る様に、頂点が下方突出した山型状の布片を連続形成している。
又、後身頃２に形成した前あて３の頂部から内股上方に渡る部位には大腿部から臀部辺りにゆとりを持たせるために上記と同形状の襠４、4aを縫着している。
尚、繋ぎ服の縫成前の展開状態を示す図７の様に、襠４、4aを除くその原型は一枚生地から成り、襠４、4aの縫成箇所の他には、縫成箇所は上衣を構成するための身頃１、２の袖下部位と、前身頃１の胸元部位だけにして、できる限り人体に触れる箇所に縫い目が形成されない様にしている。
図７において、前身頃１と後身頃２の境界を破線で示す。
【００１７】
上記の様に構成された図６に示す展開状態の繋ぎ服は、左右一対のオープンファスナー９、10を取付け、該オープンファスナー９、10を閉鎖することにより、繋ぎ服としての立体形態に変形可能と成している。
即ち、オープンファスナー９、10の一方のエレメント保持テープ9a、10ａを前身頃１の襟ぐり14下部から左右の各裾へ渡る上記裁断線（前開き部1aに同じ）に沿って縫着し、他方のエレメント保持テープ9b、10ｂを後身頃２の裾から内股、襠４、4aの最長斜辺に沿って縫着すると共に、前あて３の頂点の延長線上でエレメント保持テープ9b、10ｂを上下に重ね合わせて各エレメントを並列と成す様に縫着している。
【００１８】
尚、本実施例に示すズボン形態及び繋ぎ形態の介護服にあっては、後身頃２において、前あて３の頂部から内股上方に渡る部位と他方のエレメント保持テープ9b、10ｂとの間には、大腿部から臀部辺りにゆとりを持たせるための襠４、4aを形成したものを示し、この様に襠４、4aが形成されることがより望ましいが、襠４、4aがなくても、前あて３が後身頃２の股間部に形成されるだけでも、股間部辺りに大きくゆとりを持たせられ、ズボン形態及び繋ぎ形態の介護服としては有効であるので、その様に介護服を構成しても良い。
この場合には、エレメント保持テープ9b、10ｂは、後身頃２の裾から内股、前あて３の斜辺に沿って縫着すると共に、前あて３の頂点の延長線上でエレメント保持テープ9b、10ｂを上下に重ね合わせて各エレメントを並列と成す様に縫着することとなる。
【００１９】
上記の様に構成されたズボン形態の介護服の着用に際しては、オープンファスナー９、10を開放し、ズボンを図３に示す展開状態と成し、図４に示す様に、紐通し部５の腰部対応部位5aを腰に当て左右の通し口６、6aを身体中央に引き寄せる様に胴回り調整紐７、7aを引っ張って身体中央の臍辺りで結べば、紐通し部５内の弾性帯８全体がウエスト寸法に合わせて伸び、胴回りに無理なくフィットし、展開状態のズボンの身頃１、２上端を胴回りに纏わせられ、立ったままでのオムツ交換をも可能としている。
そして、各オープンファスナー９、10を閉鎖する様にその上端へスライダ11、11ａを移動させることによりズボンの着用（ズボンへの変形）が容易に成し得る。
脱衣は、上記の逆の手順、即ちオープンファスナー９、10を開放し、胴回り調整紐７、7aの結び目を解くことで成し得る。
【００２０】
又、繋ぎ形態の介護服の着用は、上記と同様に先ずオープンファスナー９、10を開放し、脚部を展開させた前開き状態と成し、かかる状態の繋ぎ服の袖に腕を通して浴衣の様に身に纏ってオープンファスナー９、10を閉鎖することで着衣でき、この逆の手順で脱衣する。
【００２１】
ズボン形態及び繋ぎ形態の介護服の着用状態では、前あて３が後身頃２の股間部に形成されることで大腿部から臀部辺りにゆとりをとることができると共に、更に後身頃２において前あて３の頂部から内股上方に渡る部位に襠４、4aが形成されることにより、股間部から臀部辺りに大きくゆとりを持たせられ、オムツを使用しても下半身が締めつけられる様な不快感を生ぜず動き易く、余裕を持って歩行できる。
【図面の簡単な説明】
【００２２】
【図１】介護服の正面図である。
【図２】襠の形成状態を示す様に股を開いた状態の介護服の正面図である。
【図３】介護服の展開状態を示す図である。
【図４】オープンファスナーの開放時の介護服の正面図である。
【図５】介護服の他例を示す正面図である。
【図６】オープンファスナーの開放時の介護服の正面図である。
【図７】縫成前の展開状態を示す図である。
【符号の説明】
【００２３】
１          前身頃
２          後身頃
３          前あて
４、4a      襠
５          紐通し部
5a          腰部対応部位
5b、5c      脇部対応部位
６、6a      通し口
７、7a      胴回り調整紐
８          弾性帯
９          オープンファスナー
9a、9b      エレメント保持テープ
10          オープンファスナー
10ａ、10ｂ  エレメント保持テープ
【図１】
2010106371.tif 000003
【図２】
2010106371.tif 000004
【図３】
2010106371.tif 000005
【図４】
2010106371.tif 000006
【図５】
2010106371.tif 000007
【図６】
2010106371.tif 000008
【図７】
2010106371.tif 000009